(57)【要約】  計時器調整器（３００）は、分離レバー（７）脱進機機構（２００）、及び慣性要素（２）を含む、ある品質計数Ｑを有する共振器（１００）を備え、共振器（１００）は、慣性要素（２）と一体でありレバー（７）のフォーク（８）と協働する推進ピン（６）を含み、この慣性要素（２）は、板（１）に直接又は間接的に取り付けた弾性戻り手段（３）の作用を受け、脱進機機構（２００）内に含まれるがんぎ車セット（４）と間接的に協働するように構成する。この共振器機構（１００）は、主軸（ＤＰ）回りに回転する仮想枢動部を有し、板（１）に取り付けた少なくとも２つの可撓性条片（５）の戻り力を受ける撓み支承体を有する共振器であり、可撓性条片（５）は一緒に、主軸（ＤＰ）を有する仮想枢動部を画定する。レバー（７）は、第２の軸（ＤＳ）回りに枢動する。【選択図】図２
2019536067.tif 000002
【特許請求の範囲】
【請求項１】
計時器調整機構（３００）であって、地板（１）上に配置した前記計時器調整機構（３００）は、ある品質係数Ｑを有する共振器機構（１００）、及びムーブメント（５００）内に含まれる駆動手段（４００）のトルクを受ける脱進機機構（２００）を備え、前記共振器機構（１００）は、前記板（１）に対して発振するように構成する慣性要素（２）を備え、前記慣性要素（２）は、前記板（１）に直接又は間接的に取り付けた弾性戻り手段（３）の作用を受け、前記慣性要素（２）は、前記脱進機機構（２００）内に含まれるがんぎ車セット（４）と間接的に協働するように構成する、計時器調整機構（３００）において、前記共振器機構（１００）は、主軸（ＤＰ）回りに回転する仮想枢動部、及び少なくとも２つの可撓性条片（５）を含む撓み支承体を有する共振器であり、前記慣性要素（２）と一体である推進ピン（６）を含むこと、前記脱進機機構（２００）は、第２の軸（ＤＳ）回りに枢動し前記推進ピン（６）と協働するように構成したレバー・フォーク（８）を含むレバー（７）を含み、分離脱進機機構であり、動作周期の間、前記共振器機構（１００）は、前記推進ピン（６）が前記レバー・フォーク（８）からある距離にある少なくとも１つの自由段階を有することを特徴とする、計時器調整機構（３００）。
【請求項２】
前記推進ピン（６）が前記レバー・フォーク（８）に接触する間の前記共振器の持ち上がり角度（β）は、１０°未満であることを特徴とする、請求項１に記載の計時器調整機構（３００）。
【請求項３】
一方の、前記主軸（ＤＰ）に対する前記慣性要素（２）の慣性ＩB、及びもう一方の、前記第２の軸（ＤＳ）に対する前記レバー（７）の慣性ＩAは、比率ＩB／ＩAが２Ｑ．α2／（０．１．π．β2）を超えるようなものであり、式中、αは、前記レバー・フォーク（８）の最大角度行程に対応するレバー持ち上がり角度であることを特徴とする、請求項１又は２に記載の調整機構（３００）。
【請求項４】
全体的な前記共振器の持ち上がり角度（β）は、前記慣性要素（２）が一運動方向のみにおいて静止位置から最も遠くに逸れる振幅角度の２倍未満であることを特徴とする、請求項１から３のいずれかに記載の調整機構（３００）。
【請求項５】
前記慣性要素（２）が静止位置から最も遠くに逸れる振幅角度は、５°から４０°までの間に含まれることを特徴とする、請求項１から４のいずれかに記載の調整機構（３００）。
【請求項６】
各振動の間、接触段階において、前記推進ピン（６）は、１００マイクロメートルを超える行程深度（Ｐ）で前記レバー・フォーク（８）に貫入し、解放段階において、前記推進ピン（６）は、２５マイクロメートルを超える安全距離（Ｓ）で前記レバー・フォーク（８）からある距離で留まること、並びに前記推進ピン（６）及び前記レバー・フォーク（８）は、前記レバー・フォーク（８）の幅（Ｌ）が（Ｐ＋Ｓ）／ｓｉｎ（α／２＋β／２）を超えるように寸法決定し、前記行程深度（Ｐ）及び前記安全距離（Ｓ）は、前記主軸（ＤＰ）に対して径方向で測定することを特徴とする、請求項１から５のいずれかに記載の調整機構（３００）。
【請求項７】
前記レバー（７）は、前記板（１）に対して枢動する心軸上に置いた単層シリコンであることを特徴とする、請求項１から６のいずれかに記載の調整機構（３００）。
【請求項８】
前記がんぎ車セット（４）は、シリコンがんぎ車であることを特徴とする、請求項１から７のいずれかに記載の調整機構（３００）。
【請求項９】
前記がんぎ車セット（４）は、前記がんぎ車セット（４）の枢動軸に対する慣性を最小にするため、穴のあいたがんぎ車であることを特徴とする、請求項１から８のいずれかに記載の調整機構（３００）。
【請求項１０】
前記レバー（７）は、前記第２の軸（ＤＳ）に対する前記慣性（ＩA）を最小にするため、穴があいていることを特徴とする、請求項１から９のいずれかに記載の調整機構（３００）。
【請求項１１】
前記レバー（７）は、前記第２の軸（ＤＳ）に対して対称であることを特徴とする、請求項１から１０のいずれかに記載の調整機構（３００）。
【請求項１２】
前記慣性要素（２）の最大寸法は、前記板（１）の最大寸法の半分を超えることを特徴とする、請求項１から１１のいずれかに記載の調整機構（３００）。
【請求項１３】
前記主軸（ＤＰ）、前記第２の軸（ＤＳ）及び前記がんぎ車セット（４）の枢動軸（ＤＥ）は、頂点が前記第２の軸（ＤＳ）上にある直角を中心に置かれるように構成することを特徴とする、請求項１から１２のいずれかに記載の調整機構（３００）。
【請求項１４】
前記撓み支承体は、２つの可撓性条片（５）を含み、前記可撓性条片（５）は、前記主軸（ＤＰ）を画定する前記仮想枢動部において、前記主軸（ＤＰ）に直交する平面上で突出する状態で交差し、２つの平行な、異なる段に位置することを特徴とする、請求項１から１３のいずれかに記載の調整機構（３００）。
【請求項１５】
前記主軸（ＤＰ）に直交する平面上に突出する前記２つの可撓性条片（５）は、５９．５°から６９．５°の間に含まれる角度を間に形成し、前記２つの可撓性条片（５）の長さの１０．７５％から１４．７５％の間で交差し、前記共振器機構（１００）が、意図的な等時性誤差を有するようにし、前記意図的な等時性誤差は、前記脱進機機構（２００）の脱進における損失誤差に対する加法の逆元であることを特徴とする、請求項１４に記載の調整機構（３００）。
【請求項１６】
前記２つの可撓性条片（５）は、同一であり、対称に配置することを特徴とする、請求項１４又は１５に記載の調整機構（３００）。
【請求項１７】
各前記可撓性条片（５）は、前記板（１）又は中間弾性懸架条片（９）への位置合わせ手段及び取り付け手段と一体に、一体組立体（５０）の一部を形成し、前記中間弾性懸架条片（９）は、前記板（１）に取り付け、前記主軸（ＤＰ）方向での前記撓み支承体及び前記慣性要素（２）の変位を可能にするように構成することを特徴とする、請求項１４から１６のいずれかに記載の調整機構（３００）。
【請求項１８】
少なくとも前記共振器機構（１００）は、中間弾性懸架条片（９）に取り付け、前記中間弾性懸架条片（９）は、前記板（１）に取り付け、前記主軸（ＤＰ）方向での前記共振器機構（１００）の変位を可能にするように構成すること、並びに前記板（１）は、少なくとも前記主軸（ＤＰ）の方向で少なくとも１つの緩衝停止部（１１、１２）を含み、前記緩衝停止部（１１、１２）は、前記慣性要素（２）の少なくとも１つの剛性要素と協働するように構成することを特徴とする、請求項１から１７のいずれかに記載の調整機構（３００）。
【請求項１９】
前記慣性要素（２）は、速度及び不平衡を調節する慣性ブロックを含むことを特徴とする、請求項１から１８のいずれかに記載の調整機構（３００）。
【請求項２０】
前記推進ピン（６）は、前記可撓性条片（５）と一体であることを特徴とする、請求項１から１９のいずれかに記載の調整機構（３００）。
【請求項２１】
前記レバー（７）は、支承表面を含み、前記支承表面は、前記がんぎ車セット（４）に含まれる歯と当接した状態で協働し、前記レバー（７）の角度行程を制限するように構成することを特徴とする、請求項１から２０のいずれかに記載の調整機構（３００）。
【請求項２２】
前記撓み支承体は、前記調整機構（３００）の速度に対する温度の影響を補償するため、酸化シリコンから作製することを特徴とする、請求項１から２１のいずれかに記載の調整機構（３００）。
【請求項２３】
駆動手段（４００）、及び請求項１から２２のいずれかに記載の調整機構（３００）を含み、前記脱進機機構（２００）は、前記駆動手段（４００）のトルクを受ける、計時器ムーブメント（５００）。
【請求項２４】
請求項２３に記載のムーブメント（５００）及び／又は請求項１から２２のいずれかに記載の調整機構（３００）を含む時計（１０００）。
【発明の詳細な説明】
【技術分野】
【０００１】
本発明は、計時器調整機構に関し、地板上に配置される計時器調整機構は、ある品質係数Ｑを有する共振器機構、及びムーブメント内に含まれる駆動手段のトルクを受ける脱進機機構を備え、前記共振器機構は、前記板に対して発振するように構成した慣性要素を備え、前記慣性要素は、前記板に直接又は間接的に取り付けた弾性戻り手段の作用を受け、前記慣性要素は、前記脱進機機構内に含まれるがんぎ車セットと協働するように構成される。
【０００２】
本発明は、計時器ムーブメントにも関し、計時器ムーブメントは、駆動手段及びそのような調整機構を備え、調整機構の脱進機機構は、この駆動手段のトルクを受ける。
【０００３】
本発明は、そのようなムーブメント及び／又はそのような調整機構を含む時計、より詳細には機械式時計にも関する。
【０００４】
本発明は、特に時計のための、計時器調整機構の分野に関する。
【背景技術】
【０００５】
大部分の機械式時計は、スイス・レバー脱進機と協働するてんぷ／ひげぜんまい型発振器を含む。てんぷ／ひげぜんまいは、時計の時間基準を形成する。てんぷ／ひげぜんまいを本明細書では共振器と呼ぶ。脱進機は、２つの主な機能、即ち、共振器の前後運動の維持、及びこれら前後運動の計数を実施する。脱進機は、強固でなければならず、てんぷがその平衡点から離れるような妨害があってはならず、衝撃に耐え、（例えばどてピン越え（ｏｖｅｒｂａｎｋｉｎｇ）の際の）ムーブメントの詰まりを回避しなければならず、したがって、計時器ムーブメントの不可欠な構成要素を形成するものである。
【０００６】
典型的には、てんぷ／ひげぜんまいは、３００°の振幅で発振し、持ち上がり角度は５０°である。持ち上がり角度とは、レバー・フォークが推進ピンと相互作用する際にてんぷが進行する角度であり、推進ピンは、てんぷの転動ピンとも呼ばれる。大部分の現在のスイス・レバー脱進機において、持ち上がり角度は、てんぷの平衡点の両側で分割され（±２５°）、レバーは±７°傾く。
【０００７】
スイス・レバー脱進機は、分離脱進機のカテゴリーに属す。というのは、持ち上がり角度の半分を超えると、共振器はもはやレバーに接触しないためである。この特性は、良好な等時性を得るために必須である。
【０００８】
機械式共振器は、慣性要素、案内部材及び弾性戻り要素を含む。従来、てんぷは、慣性要素を形成し、ひげぜんまいは、弾性戻り要素を形成する。てんぷは、枢動体によって回転する状態で案内され、枢動体は、平滑なルビー支承体内で回転する。関連する摩擦は、エネルギーの損失及び速度の乱れを生じさせる。この乱れをなくすことが求められている。更に、この乱れは、重力場では時計の向きに左右される。損失は、共振器の品質係数Ｑによって特徴付けられる。可能な最良のパワー・リザーブを得るため、この品質係数Ｑを最大にすることも、一般に求められている。案内部材が損失の本質的な要因であることは、明らかである。
【０００９】
枢動体及び従来のひげぜんまいを使用する代わりに、回転撓み支承体を使用することは、品質計数Ｑを最大にする１つの解決策である。可撓性条片共振器は、これらが良好に設計されているとすれば、特に、枢動摩擦がないため、重力場の向きとは無関係に、有望な等時性を有し、高い品質計数を有する。更に、撓み支承体を使用すると、枢動体の摩耗に関する問題が解消される。
【００１０】
しかし、そのような回転撓み支承体で一般に使用される可撓性条片は、ひげぜんまいよりも硬い。このことは、より高い周波数、例えば約２０Ｈｚにおける、より低い振幅、例えば１０°から２０°での動作をもたらす。このことは、一見して、スイス・レバー型脱進機に適合しないと思われる。
【００１１】
回転撓み支承体、特に条片を有する共振器に適合する動作振幅は、典型的には６°から１５°である。このことは、最小動作振幅の２倍でなければならない特定の持ち上げ角度値をもたらす。
【００１２】
特別の注意がない場合、持ち上がり角度がわずかである脱進機は、効率が劣り、多大な速度損失を生じさせるおそれがある。しかし、高周波数と低振幅とを組み合わせると、速すぎることがない許容可能なてんぷの運動速度を可能にし、したがって、脱進機の効率が自動的に劣らない。
【００１３】
共振器は、計時器ムーブメント内側への収容に適合する許容可能な寸法を有さなければならない。現在までのところ、かなり大型の直径、又はいくつかの段の対の条片を有する回転撓み支承体を作製することは可能ではない。この回転撓み支承体は、理論的には、連続する撓み支承体を直列に置くことによって、慣性要素が数十度で発振振幅することを可能にするものである。したがって、多くとも１又は２つの段の条片を有する撓み支承体を使用すべきであり、この撓み支承体は、例えば、ＴＨＥ  ＳＷＡＴＣＨ  ＧＲＯＵＰ  ＲＥＳＥＡＲＣＨ  ＡＮＤ  ＤＥＶＥＬＯＰＭＥＮＴ  Ｌｔｄ名義の欧州特許第３０３５１２６号から公知である。
【００１４】
要約すると、回転撓み支承体を選択する影響は、てんぷの振幅を低減し、持ち上がり角度の半分よりも著しく大きいてんぷの振幅、即ち２５°よりも大きい振幅を必要とする従来のスイス・レバー脱進機の使用はもはや可能ではなくなることである。したがって、撓み支承体を有する共振器を備える調整器は、共振器の同じ慣性要素と共に動作するように考案した通常のスイス・レバー脱進機の寸法とは異なる寸法の、特別な脱進機機構を必要とする。
【先行技術文献】
【特許文献】
【００１５】
【特許文献１】欧州特許第３０３５１２６号
【発明の概要】
【発明が解決しようとする課題】
【００１６】
本発明の全体的な目的は、現在の機械式時計のパワー・リザーブ及び精度を向上させることである。この目的を達成するため、本発明は、回転撓み支承体を有する共振器と、最適化したレバー脱進機とを組み合わせ、許容可能な動的損失を維持し、解放段階の時刻測定に対する影響を制限するようにする。
【００１７】
共振器及び脱進機機構の両方の寸法決定に関する従来技術の教示の不在下、分析モデルの計算及び一連のシミュレーションは、許容可能な損失及び許容可能な効率に適合する共振器及び脱進機のパラメータを示した。
【００１８】
これらの計算及びシミュレーションは、慣性要素、特にてんぷの慣性と、アンクル・レバーの慣性との間の比率が決定的であることを実証するものである。
【課題を解決するための手段】
【００１９】
この目的で、本発明は、請求項１に記載の調整機構に関する。
【００２０】
回転撓み支承体を有するこれらの共振器は、通常の時計の場合２００である品質計数と比較して、かなり高い、例えば、約３０００の品質計数を有する。動的損失（推進終了時のがんぎ車及びアンクル・レバーからの運動エネルギー）は、品質計数とは無関係である。したがって、これらの損失は、高い品質計数では、相対的にてんぷに伝達されるエネルギーと比較して、かなり重要になることがある。
【００２１】
機構を適切に動作させるため、慣性要素と一体の推進ピンを、「深度」と呼ぶ特定の値までレバー・フォークの開口に貫入させなければならない。同様に、解放段階の間の安全を保証するため、推進ピンが解放された後、推進ピンは、解放の直前に接触していた角とは反対側のフォークの角から、安全距離と呼ぶ特定の距離で保つことができなければならない。
【００２２】
したがって、本発明は、更に、レバー・フォークの寸法と、深度及び安全距離値と、レバー及び慣性要素の持ち上がり角度値との間に特定の関係を課すようにするものであり、推進ピンが、持ち上がり角度の半分を通過する行程が終了した後、適切にフォークから外れることを保証する。
【００２３】
本発明は、計時器ムーブメントにも関し、計時器ムーブメントは、駆動手段及びそのような調整機構を備え、調整機構の脱進機機構は、この駆動手段のトルクを受ける。
【００２４】
本発明は、そのようなムーブメント及び／又はそのような調整機構を含む時計、より詳細には機械式時計にも関する。
【００２５】
本発明の他の特徴及び利点は、添付の図面を参照して、以下の詳細な説明を読めば明らかになるであろう。
【図面の簡単な説明】
【００２６】
【図１】２つのグラフであり、２つのグラフは、同じ横軸上に、共振器の慣性要素の慣性とレバーの慣性との間の比率を含み、縦軸は、特定の例示的機構に関し、一方の、上のグラフの正の部分では、調整器の効率を％で示し、下のグラフの負の部分では、１日当たりの秒の損失比を示す。これら上下のグラフは、品質計数、レバーの持ち上がり角度及び動作振幅に関し特定値を有する同じ所与の脱進機形状に対して描かれている。
【図２】本発明による調整機構を支持する地板を有する計時器ムーブメントの概略部分斜視図であり、調整機構は、２つの可撓性条片を有する撓み支承体を有する共振器を備え、２つの可撓性条片は、２つの平行段上に配置され、突出して交差し、弾性要素により板に固着され、この共振器は、広大な、文字オメガのような形状の慣性要素を含み、２つの可撓性条片が支持する慣性要素の中心部分は、対称形レバー（金属心軸による板上でのレバーの枢動は図示しない）と協働するように構成した推進ピンを支持し、対称形レバーは、従来のがんぎ車と協働する。
【図３】ムーブメントの板上に配置した、図２の調整機構の平面図である。
【図４】図２の調整機構の平面詳細図である。
【図５】図２の調整機構の部分分解斜視図である。
【図６】どてピン上の停止位置で図示する、共振器の慣性要素の推進ピンと、レバー・フォークとの間の協働領域の平面詳細図である。
【図７】ワツシ牛の角のような形状の、図２の機構のレバーの平面図である。
【図８】図２の機構の撓み支承体の平面図である。
【図９】図２の機構の１つの段の撓み支承体の特定の実施形態の平面図である。
【図１０】図２の調整機構の側面図である。
【図１１】ムーブメントの板上の緩衝停止部を示す、図２の調整機構の斜視詳細図である。
【図１２】横軸上に、がんぎ車セットに加えたトルクを含み、縦軸上に、測定した振幅度を含むグラフである。
【図１３】横軸上に、がんぎ車セットに加えたトルクを含み、縦軸上に、１日当たりの秒の損失を含むグラフである。
【図１４】横軸上に、がんぎ車セットに加えたトルクを含み、縦軸上に、調整器の効率％を含むグラフである。
【図１５】ムーブメントを備える時計を表すブロック図であり、ムーブメントは、駆動手段及び本発明による調整機構を有する。
【図１６】推進ピン、図７のレバー・フォーク、及びがんぎ車セットについての、図６によって既に表した運動段階の平面図であり、がんぎ車セットは、ここでは従来のがんぎ車によって形成される。がんぎ車は、共振器と補弧をなす入りづめ上に係止されている。
【図１７】推進ピン、図７のレバー・フォーク、及びがんぎ車セットについての、図６によって既に表した運動段階の平面図であり、がんぎ車セットは、ここでは従来のがんぎ車によって形成される。がんぎ車は、解放されている。
【図１８】推進ピン、図７のレバー・フォーク、及びがんぎ車セットについての、図６によって既に表した運動段階の平面図であり、がんぎ車セットは、ここでは従来のがんぎ車によって形成される。推進を開始している。
【図１９】推進ピン、図７のレバー・フォーク、及びがんぎ車セットについての、図６によって既に表した運動段階の平面図であり、がんぎ車セットは、ここでは従来のがんぎ車によって形成される。がんぎ車は、共振器と補弧をなす出づめ上に係止され、安全な状態である。
【発明を実施するための形態】
【００２７】
本発明は、パワー・リザーブ及び精度を向上させる回転撓み支承体を有する共振器と、最適化したレバー脱進機とを組み合わせ、許容可能な動的損失を維持し、解放段階の時刻測定に対する影響を制限するようにする。
【００２８】
したがって、本発明は、計時器調整機構３００に関し、地板１上に配置した計時器調整機構３００は、ある品質係数Ｑを有する共振器機構１００、及びムーブメント５００内に含まれる駆動手段４００のトルクを受ける脱進機機構２００を備える。
【００２９】
この共振器機構１００は、板１に対して発振するように構成した慣性要素２を含む。この慣性要素２は、板１に直接又は間接的に取り付けた弾性戻り手段３の作用を受ける。慣性要素２は、がんぎ車セット４、特にがんぎ車と間接的に協働するように構成し、がんぎ車セット４は、脱進機機構２００内に含まれ、脱進機軸ＤＥ回りに枢動する。
【００３０】
本発明によれば、共振器機構１００は、共振器であり、この共振器は、主軸ＤＰ回りに回転する仮想枢動部、及び少なくとも２つの可撓性条片５を含む撓み支承体を有し、慣性要素２と一体である推進ピン６を含む。脱進機機構２００は、第２の軸ＤＳ回りに枢動するレバー７、及び推進ピン６と協働するように構成したレバー・フォーク８を含み、したがって、分離脱進機機構である。共振器機構１００の動作周期の間、共振器機構１００は、推進ピン６がレバー・フォーク８からある距離にある少なくとも１つの自由段階を有する。推進ピン６がレバー・フォーク８に接触する間の共振器の持ち上がり角度βは、１０°未満である。
【００３１】
特定の脱進機形状及び特定の動作振幅、具体的には８°の動作振幅を利用すると、動的多体シミュレーションにより、慣性要素の慣性とレバーの慣性との間の慣性比の関数として、脱進機機構の効率及び損失を評価することが可能である（即ち、動的多体シミュレーションとは、それぞれに特定の質量及び慣性分布を割り当てたいくつかの構成要素のセットに関連するものである）。この脱進機機構の効率及び損失は、通常の運動学的シミュレーションの使用では確立することができない。図１からわかるように、図１のシミュレーション条件下では、慣性要素、特にてんぷの慣性が、レバーの慣性の１００００倍を超えると、３５％を超える良好な効率閾値、及び１日当たり８秒未満の低損失閾値があることが観察される。
【００３２】
したがって、システム分析モデルは、動的損失の制限を望む場合、特定の条件が、レバーの慣性、慣性要素の慣性、共振器の品質計数、並びにレバー及び慣性要素の持ち上がり角度に関連することを示した。動的損失係数εに関し、一方の、主軸ＤＰに対する全ての慣性要素２の慣性ＩB、及びもう一方の、第２の軸ＤＳに対するレバー７の慣性ＩAは、比率ＩB／ＩAが２Ｑ．α2／（０．１．π．β2）を超えるようなものであり、式中、αは、レバー・フォーク８の最大角度行程に対応するレバーの持ち上がり角度である。
【００３３】
より詳細には、動的損失を関数ε＝１０％に制限することを望む場合、一方の、主軸ＤＰに対する慣性要素２の慣性ＩB、及びもう一方の、第２の軸ＤＳに対するレバー７の慣性ＩAは、比率ＩB／ＩAが２Ｑ．α2／（０．１．π．β2）を超えるようなものであり、式中、αは、レバー・フォーク８の最大角度行程に対応するレバーの持ち上がり角度である。
【００３４】
より詳細には、静止位置の両側から取った全体角度である共振器の持ち上がり角度βは、慣性要素２がただ１つの運動方向で静止位置から最も遠くに逸れる振幅角度の２倍未満である。
【００３５】
より詳細には、慣性要素２が静止位置から最も遠くに逸れる振幅角度は、５°から４０°までの間に含まれる。
【００３６】
より詳細には、各発振の間、接触段階において、推進ピン６は、１００マイクロメートルを超える行程深度Ｐでレバー・フォーク８に貫入し、解放段階において、推進ピン６は、レバー・フォーク８から安全距離Ｓである距離に留まり、安全距離Ｓは、２５マイクロメートルを超える。
【００３７】
したがって、レバー７のフォーク８は、かなり狭い従来のスイス・レバー・フォークと比較して拡大し、ピン６の自由を少なくすることを可能にする。ピン６は、そのような角度振幅がわずかな従来のスイス・レバー・フォークの場合、出入りすることができない。フォークの拡大というこの概念により、共振器の振幅が、従来のひげぜんまいにおけるものよりもかなり小さい場合でさえ、レバー脱進機の動作を可能にし、このことは、現在のケースのように、振幅が低い、撓み支承体を有する共振器に特に有利である。実際、てんぷは、動作周期の間の特定の瞬間で完全に自由であることが重要である。
【００３８】
推進ピン６及びレバー・フォーク８は、有利には、レバー・フォーク８の幅Ｌが（Ｐ＋Ｓ）／ｓｉｎ（α／２＋β／２）を超えるように寸法決定し、行程深度Ｐ及び安全距離Ｓは、主軸ＤＰに対して径方向で測定する。
【００３９】
推進ピン６の有用な幅Ｌ１は、図６からわかるように、レバー・フォーク８の幅Ｌよりもわずかに小さく、より詳細には、Ｌの９８％未満であるか又は９８％に等しい。推進ピン６は、有利には、推進ピン６の有用な幅の表面Ｌ１の背後が先細になっており、ピンは、特に、図面で示唆される三角形断面の柱形状又は同様の形状を有する。
【００４０】
図を検討すると、ピン６の配置に対する相補的作用がわかり、ピン６は、従来の脱進機機構におけるものよりも、てんぷ２の回転軸からかなり遠くに位置する。より大きい半径と、より低い枢動角度との組合せにより、ピン６の等しい曲線行程の維持を可能にし、この等しい曲線行程は、ピンが分配／計数機能を実施できるために必要なものである。したがって、大きな直径のてんぷの使用は、特に有利である。
【００４１】
より詳細には、てんぷの軸に対するピン６の偏心率Ｅ２、及びレバー７の軸に対するフォーク８の角の偏心率Ｅ７は、レバー７の軸とてんぷ軸との間の中心距離Ｅの４０％から６０％の間に含まれる。より詳細には、偏心率Ｅ２は、中心距離Ｅの５５％から６０％の間に含まれ、偏心率Ｅ７は、中心距離Ｅの４０％から４５％の間に含まれる。より詳細には、ピン６とフォーク８との間の干渉領域は、中心距離Ｅの５％から１０％に及ぶ。
【００４２】
したがって、設計により、本発明は、かなり著しく特徴的である推進ピン／フォークの新たなレイアウトを規定するものであり、フォークの角は、かなり離れており、ピンは、通常の持ち上がり角度が５０°である公知の種類のスイス・レバー機構のものよりも広い。
【００４３】
したがって、レバー・フォークを通常の割合と比較して実質的に拡大することにより、持ち上がり角度が非常にわずかである、例えば約１０°のスイス・レバー脱進機を設計することも可能である。
【００４４】
図６は、非常にわずかな枢動角度でさえ、ピン６が、良好な行程深度Ｐでフォーク８に入り、十分な安全距離Ｓでフォーク８から出ることが可能であることを示す。
【００４５】
図１６から図１９は、運動力学を示し、適切な行程深度Ｐ及び安全距離Ｓが、この組合せ設計によって得られることを示し、ピン６は、てんぷ軸からかなり遠く離れており、レバー７は、特にフォークが拡大した特定の形状を有する。
【００４６】
共振器の効率を最大にするため、上述した、慣性要素の慣性とレバーの慣性とを１０，０００を超える比率で関連付ける特定の関係の利点は、明らかである。
【００４７】
したがって、かなり小型でかなり軽量であるレバー、及び大きな寸法で高い質量のてんぷを有することが特に有利である。
【００４８】
より詳細には、レバー７は、シリコンから作製し、これにより、小型で、かなり正確な実施形態を可能にし、シリコンの密度は、鉄鋼の密度の３分の１未満である。レバーをシリコンから作製することにより、金属レバーと比較してその慣性を低減する。てんぷと比較してレバーの慣性が低いことは、本ケースの撓み支承体を有する共振器において低振幅及び高周波数で良好な効率を得るために重要である。
【００４９】
時計の範囲が許容する場合、てんぷは、有利には、金、白金、タングステン又は同様のものを含む重金属又は合金から作製し、同様の組成の慣性ブロックを含むことができる。その他の場合、てんぷは、従来の様式で銅ベリリウム合金ＣｕＢｅ２又は同様のものから作製し、平衡が保たれている慣性ブロック及び／又は調節慣性ブロックで安定させ、これらのブロックは、洋銀又は別の合金から作製する。
【００５０】
より詳細には、このレバー７は、単一段のシリコンであり、板１に対して枢動するセラミック若しくはそれ以外のもの等の金属又は同様のものから作製した心軸上に置かれる。
【００５１】
より詳細には、がんぎ車セット４は、シリコンがんぎ車である。
【００５２】
より詳細には、がんぎ車セット４は、穴のあいたがんぎ車であり、がんぎ車セット４の枢動軸ＤＥに対する慣性を最小にする。
【００５３】
より詳細には、レバー７は、穴があいており、第２の軸ＤＳに対する慣性ＩAを最小にする。
【００５４】
好ましくは、レバー７は、第２の軸ＤＳに対して対称形であり、特に並進移動の線形衝撃の際、あらゆる不平衡及び不要なトルクを回避するようにする。したがって、更なる利点は、このかなり小型の構成要素の組立てをかなり容易にすることであり、これにより、組立てを実施するオペレータがあらゆる側からこの構成要素を扱うことができる。
【００５５】
図７は、推進ピン６と協働するように構成した２つの角８１及び８２、がんぎ車セット４の歯と協働するように構成したつめ７２及び７３、並びに角状要素８０及びつめ状要素７０を示し、角状要素８０及びつめ状要素７０の唯一の役割は、完全な平衡を達成することである。
【００５６】
より詳細には、慣性要素２の最大寸法は、板１の最大寸法の半分を超える。
【００５７】
より詳細には、主軸ＤＰ、第２の軸ＤＳ、及びがんぎ車セット４の枢動軸は、頂点が第２の軸ＤＳ上にある直角を中心に置かれるように構成する。したがって、レバー・シャフト及び２つの腕部を有する従来のＴ字形スイス・レバーと比較すると、図７からわかるように、シャフトは、除去され、角８１及び８２並びに角８２とほぼ一致する出づめ７２を支持する２つの腕部７６のうちの一方、入りづめ７３を支持するもう一方の腕部７５となることは明らかである。
【００５８】
スイス・レバーとの比較は、どてピン越えを防止する手段について継続することができ、どてピンは、通常、レバーの偏心平面上に位置する保護ピンによって形成される。この機能は、てんぷの詰まりを防止するのに重要である。特に、てんぷには、安全転動子がないため、そのような保護ピンと協働するように構成した転動子の切欠きがない。ここで、わずかな枢動角度のために、推進ピンは、フォークから遠ざかることがない。したがって、どてピン越え防止機能は、有利には、円弧形状の推進ピン６の縁部６０と、関係する角８１、８２の対応する表面８１０、８２０との組合せによって実施される。この角は、保護ピンの通常の役割を果たし、推進ピンの周辺は、安全転動子の役割を果たす。更に得られる利点は、てんぷが単一段のレバーと協働する場合、てんぷも１つの段上にあることができ、てんぷの製造を簡略化し、費用を低減する。
【００５９】
どてピン越えが、低振幅の共振器と、（ピンの幅が拡大フォークにほぼ等しい）大きな幅の推進ピンとの組合せによって防止されるからこそ、単一段のレバーの設計が可能であり、レバーの製造が大幅に簡略化される。
【００６０】
より詳細には、撓み支承体は、２つの可撓性条片５を含み、可撓性条片５は、主軸ＤＰを画定する仮想枢動部において、主軸ＤＰに直交する平面上に突出する状態で交差し、２つの平行な、異なる段に位置する。より更に詳細には、主軸ＤＰに直交する平面上に突出する２つの可撓性条片５は、５９．５°から６９．５°の間に含まれる角度を間に形成し、２つの可撓性条片５の長さの１０．７５％から１４．７５％の間で交差し、共振器機構１００が、意図的な等時性誤差を有するようにし、この意図的な等時性誤差は、脱進機機構２００の脱進における損失誤差に対する加法の逆元である。
【００６１】
したがって、共振器は、脱進機が生じる損失を補償する非等時性曲線を有する。このことは、分離共振器が、レバー脱進機が生じる誤差の加法の逆元である等時性誤差を伴って設計されることを意味する。したがって、共振器の設計は、脱進機における損失を補償する。
【００６２】
より詳細には、２つの可撓性条片５は、同一であり、対称に配置される。より更に詳細には、各可撓性条片５は、２つの中実部品５１、５５、板１への第１の位置合わせ手段５２Ａ、５２Ｂ、及び取り付け手段５４、又は有利には図１０からわかるように、板１に取り付けた中間弾性懸架条片９への取り付け手段と一体に、一体組立体５０の一部を形成する。一体組立体５０は、撓み支承体及び慣性要素２が主軸ＤＰの方向で変位可能であるように構成し、そのような一体組立体５０の平面に直交するＺ方向への衝撃に対する良好な保護を保証し、したがって、撓み支承条片の破断を防止する。この中間弾性懸架条片９は、有利には、Ｄｕｒｉｍｐｈｙ合金又は同様のものから作製される。図示の非限定的な変形形態では、第１の位置合わせ手段は、第１のＶ字形部分５２Ａ及び第１の平坦部分５２Ｂであり、第１の取り付け手段は、少なくとも１つの第１の穴５４を含む。第１の押圧条片５３は、第１の取り付け手段を押圧する。同様に、一体組立体５０は、一体組立体５０を慣性要素２に取り付けるため、第２の位置合わせ手段を含み、第２の位置合わせ手段は、第２のＶ字形部分５６Ａ及び第２の平坦部分５６Ｂであり、第２の取り付け手段は、少なくとも１つの第２の穴５８を含む。第２の押圧条片５７は、第２の取り付け手段を押圧する。
【００６３】
交差条片５を有する撓み支承体３は、有利には、２つの同一のシリコン一体組立体５０から形成され、条片の交差を形成するように対象的に組み付けられ、一体化した位置合わせ手段、並びにピン及びねじ等の図示しない補助手段により、互いに対して正確に位置合わせされる。
【００６４】
したがって、より詳細には、少なくとも共振器機構１００は、板１に取り付けた中間弾性懸架条片９に取り付けられ、共振器機構１００の主軸ＤＰ方向への変位を可能にするように構成し、板１は、少なくとも主軸ＤＰの方向への少なくとも１つの緩衝停止部１１、１２を含み、好ましくは、少なくとも２つのそのような緩衝停止部１１、１２を含み、緩衝停止部１１、１２は、慣性要素２の少なくとも１つの剛性要素と協働するように構成し、剛性要素は、例えば突縁２１又は２２であり、条片５を備える撓み支承体３に慣性要素を組み付ける間に追加される。
【００６５】
弾性懸架条片９又は同様のデバイスは、実質的に支承体の仮想回転軸ＤＰが画定する方向で共振器１００全体の変位を可能にする。このデバイスの目的は、方向ＤＰへの横方向の衝撃の際、条片５の破断を回避することである。
【００６６】
図１１は、緩衝停止部の存在を示し、緩衝停止部は、衝撃の際に３つの方向に慣性要素２が進行するのを制限するものであるが、重力の影響下、慣性要素が停止部に接触しないような十分な距離で置かれる。例えば、突縁２１又は２２は、穴２１１及び面２１２を含み、穴２１１及び面２１２はそれぞれ、緩衝停止構成において、停止部２１又は２２上でトラニオン１２１及び相補形表面１２２と協働することができる。
【００６７】
より詳細には、慣性要素２は、速度及び不平衡を調節する慣性ブロック２０を含む。
【００６８】
より詳細には、推進ピン６は、図示のように、可撓性条片５、又はより詳細には、一体組立体５０と一体である。
【００６９】
より詳細には、レバー７は、支承表面を含み、支承表面は、がんぎ車セット４に含まれる歯と当接した状態で協働し、レバー７の角度行程を制限するように構成する。これらの支承表面は、中実どてピンが制限するように、レバーの角度行程を制限する。レバー７８の角度行程は、どてピン７００によって従来の様式で制限することもできる。
【００７０】
より詳細には、撓み支承体３は、調整機構３００の速度に対する温度の影響を補償するため、酸化シリコンから作製する。
【００７１】
本発明は、計時器ムーブメント５００にも関し、計時器ムーブメント５００は、駆動手段４００及びそのような調整機構３００を備え、調整機構３００の脱進機機構２００は、この駆動手段４００のトルクを受ける。
【００７２】
図１２から図１４のグラフは、シミュレーションからの一連の結果を示し、Ｑ＝２０００であり、ＩB＝２６５５０ｍｇ．ｍｍ2であり、周波数は２０Ｈｚであり、がんぎ車セットは２０の歯を有し、より詳細には、レバーの持ち上がり角度αは１４°であり、共振器の持ち上がり角度βは１０°である。
【００７３】
本発明は、そのようなムーブメント５００及び／又はそのような調整機構３００を含む時計１０００、より詳細には機械式時計にも関する。
【００７４】
要約すると、本発明は、現在の機械式時計のパワー・リザーブ及び精度を向上させることを可能にする。所与のムーブメントのサイズに対し、時計の自律性を４倍にし、時計の調整力を２倍にすることができる。このことは、本発明がムーブメントの性能に８倍の利得をもたらすことを意味する。
【図１】
2019536067.tif 000003
【図２】
2019536067.tif 000004
【図３】
2019536067.tif 000005
【図４】
2019536067.tif 000006
【図５】
2019536067.tif 000007
【図６】
2019536067.tif 000008
【図７】
2019536067.tif 000009
【図８】
2019536067.tif 000010
【図９】
2019536067.tif 000011
【図１０】
2019536067.tif 000012
【図１１】
2019536067.tif 000013
【図１２】
2019536067.tif 000014
【図１３】
2019536067.tif 000015
【図１４】
2019536067.tif 000016
【図１５】
2019536067.tif 000017
【図１６】
2019536067.tif 000018
【図１７】
2019536067.tif 000019
【図１８】
2019536067.tif 000020
【図１９】
2019536067.tif 000021
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
計時器調整機構（３００）であって、地板（１）上に配置した前記計時器調整機構（３００）は、ある品質係数Ｑを有する共振器機構（１００）、及びムーブメント（５００）内に含まれる駆動手段（４００）のトルクを受ける脱進機機構（２００）を備え、前記共振器機構（１００）は、前記板（１）に対して発振するように構成する慣性要素（２）を備え、前記慣性要素（２）は、前記板（１）に直接又は間接的に取り付けた弾性戻り手段（３）の作用を受け、前記慣性要素（２）は、前記脱進機機構（２００）内に含まれるがんぎ車セット（４）と間接的に協働するように構成する、計時器調整機構（３００）において、前記共振器機構（１００）は、主軸（ＤＰ）回りに回転する仮想枢動部、及び少なくとも２つの可撓性条片（５）を含む撓み支承体を有する共振器であり、前記慣性要素（２）と一体である推進ピン（６）を含むこと、前記脱進機機構（２００）は、第２の軸（ＤＳ）回りに枢動し前記推進ピン（６）と協働するように構成したレバー・フォーク（８）を含むレバー（７）を含み、分離脱進機機構であり、動作周期の間、前記共振器機構（１００）は、前記推進ピン（６）が前記レバー・フォーク（８）からある距離にある少なくとも１つの自由段階を有すること、前記撓み支承体は、２つの可撓性条片（５）を含み、前記可撓性条片（５）は、前記主軸（ＤＰ）を画定する前記仮想枢動部において、前記主軸（ＤＰ）に直交する平面上で突出する状態で交差し、２つの平行な、異なる段に位置すること、並びに前記推進ピン（６）が前記レバー・フォーク（８）に接触する間の前記共振器の持ち上がり角度（β）は、１０°未満であることを特徴とする、計時器調整機構（３００）。
【請求項２】
一方の、前記主軸（ＤＰ）に対する前記慣性要素（２）の慣性ＩB、及びもう一方の、前記第２の軸（ＤＳ）に対する前記レバー（７）の慣性ＩAは、比率ＩB／ＩAが２Ｑ．α2／（０．１．π．β2）を超えるようなものであり、式中、αは、前記レバー・フォーク（８）の最大角度行程に対応するレバー持ち上がり角度であることを特徴とする、請求項１に記載の調整機構（３００）。
【請求項３】
全体的な前記共振器の持ち上がり角度（β）は、前記慣性要素（２）が一運動方向のみにおいて静止位置から最も遠くに逸れる振幅角度の２倍未満であることを特徴とする、請求項１に記載の調整機構（３００）。
【請求項４】
前記慣性要素（２）が静止位置から最も遠くに逸れる振幅角度は、５°から４０°までの間に含まれることを特徴とする、請求項１に記載の調整機構（３００）。
【請求項５】
各振動の間、接触段階において、前記推進ピン（６）は、１００マイクロメートルを超える行程深度（Ｐ）で前記レバー・フォーク（８）に貫入し、解放段階において、前記推進ピン（６）は、２５マイクロメートルを超える安全距離（Ｓ）で前記レバー・フォーク（８）からある距離で留まること、並びに前記推進ピン（６）及び前記レバー・フォーク（８）は、前記レバー・フォーク（８）の幅（Ｌ）が（Ｐ＋Ｓ）／ｓｉｎ（α／２＋β／２）を超えるように寸法決定し、前記行程深度（Ｐ）及び前記安全距離（Ｓ）は、前記主軸（ＤＰ）に対して径方向で測定することを特徴とする、請求項１に記載の調整機構（３００）。
【請求項６】
前記レバー（７）は、前記板（１）に対して枢動する心軸上に置いた単層シリコンであることを特徴とする、請求項１に記載の調整機構（３００）。
【請求項７】
前記がんぎ車セット（４）は、シリコンがんぎ車であることを特徴とする、請求項１に記載の調整機構（３００）。
【請求項８】
前記がんぎ車セット（４）は、前記がんぎ車セット（４）の枢動軸に対する慣性を最小にするため、穴のあいたがんぎ車であることを特徴とする、請求項１に記載の調整機構（３００）。
【請求項９】
前記レバー（７）は、前記第２の軸（ＤＳ）に対する前記慣性（ＩA）を最小にするため、穴があいていることを特徴とする、請求項１に記載の調整機構（３００）。
【請求項１０】
前記レバー（７）は、前記第２の軸（ＤＳ）に対して対称であることを特徴とする、請求項１に記載の調整機構（３００）。
【請求項１１】
前記慣性要素（２）の最大寸法は、前記板（１）の最大寸法の半分を超えることを特徴とする、請求項１に記載の調整機構（３００）。
【請求項１２】
前記主軸（ＤＰ）、前記第２の軸（ＤＳ）及び前記がんぎ車セット（４）の枢動軸（ＤＥ）は、頂点が前記第２の軸（ＤＳ）上にある直角を中心に置かれるように構成することを特徴とする、請求項１に記載の調整機構（３００）。
【請求項１３】
前記主軸（ＤＰ）に直交する平面上に突出する前記２つの可撓性条片（５）は、５９．５°から６９．５°の間に含まれる角度を間に形成し、前記２つの可撓性条片（５）の長さの１０．７５％から１４．７５％の間で交差し、前記共振器機構（１００）が、意図的な等時性誤差を有するようにし、前記意図的な等時性誤差は、前記脱進機機構（２００）の脱進における損失誤差に対する加法の逆元であることを特徴とする、請求項１に記載の調整機構（３００）。
【請求項１４】
前記２つの可撓性条片（５）は、同一であり、対称に配置することを特徴とする、請求項１に記載の調整機構（３００）。
【請求項１５】
各前記可撓性条片（５）は、前記板（１）又は中間弾性懸架条片（９）への位置合わせ手段及び取り付け手段と一体に、一体組立体（５０）の一部を形成し、前記中間弾性懸架条片（９）は、前記板（１）に取り付け、前記主軸（ＤＰ）方向での前記撓み支承体及び前記慣性要素（２）の変位を可能にするように構成することを特徴とする、請求項１に記載の調整機構（３００）。
【請求項１６】
少なくとも前記共振器機構（１００）は、中間弾性懸架条片（９）に取り付け、前記中間弾性懸架条片（９）は、前記板（１）に取り付け、前記主軸（ＤＰ）方向での前記共振器機構（１００）の変位を可能にするように構成すること、並びに前記板（１）は、少なくとも前記主軸（ＤＰ）の方向で少なくとも１つの緩衝停止部（１１、１２）を含み、前記緩衝停止部（１１、１２）は、前記慣性要素（２）の少なくとも１つの剛性要素と協働するように構成することを特徴とする、請求項１に記載の調整機構（３００）。
【請求項１７】
前記慣性要素（２）は、速度及び不平衡を調節する慣性ブロックを含むことを特徴とする、請求項１に記載の調整機構（３００）。
【請求項１８】
前記推進ピン（６）は、前記可撓性条片（５）と一体であることを特徴とする、請求項１に記載の調整機構（３００）。
【請求項１９】
前記レバー（７）は、支承表面を含み、前記支承表面は、前記がんぎ車セット（４）に含まれる歯と当接した状態で協働し、前記レバー（７）の角度行程を制限するように構成することを特徴とする、請求項１に記載の調整機構（３００）。
【請求項２０】
前記撓み支承体は、前記調整機構（３００）の速度に対する温度の影響を補償するため、酸化シリコンから作製することを特徴とする、請求項１に記載の調整機構（３００）。
【請求項２１】
駆動手段（４００）、及び請求項１に記載の調整機構（３００）を含み、前記脱進機機構（２００）は、前記駆動手段（４００）のトルクを受ける、計時器ムーブメント（５００）。
【請求項２２】
請求項２１に記載のムーブメント（５００）及び／又は請求項１に記載の調整機構（３００）を含む時計（１０００）。
【国際調査報告】
2019536067.tif 000022
2019536067.tif 000023
2019536067.tif 000024
2019536067.tif 000025
2019536067.tif 000026
2019536067.tif 000027
2019536067.tif 000028
2019536067.tif 000029
2019536067.tif 000030